(57)【要約】【課題】  蛍光撮影において固視灯の写り込みを抑制し、好適な観察ができる装置を提供する。【解決手段】  照明光を出射する光源部と，照明光を眼底に対して２次元的に走査する走査部とを有する照射光学系と、照明光により照明された眼底からの反射光を受光する受光素子を持つ受光光学系と、を有し、受光素子の受光信号に基づいて眼底画像を得る眼科撮影装置において、光源部は被検者の血管内に投与される造影剤を励起させ前記造影剤から蛍光を発光させる励起光を出射する励起光源と、被検者眼の固視を誘導するための可視光を出射する固視光源と、を備え、蛍光を透過させると共に励起光及び固視光を遮断する光学特性を有するバンドカットフィルタを持つフィルタユニットであって，照明光学系と共用されない前記受光光学系の光路にバンドカットフィルタを挿脱可能に配置するフィルタユニットと、を備える。【選択図】      図１
2010259606.tif 000002
【特許請求の範囲】
【請求項１】
波長の異なる照明光をそれぞれ出射する光源部と，前記照明光を眼底に対して２次元的に走査する走査部とを有する照射光学系と、前記照明光により照明された眼底からの反射光を受光するための受光素子を持つ受光光学系と、を有し、前記受光素子の受光信号に基づいて眼底画像を得る眼科撮影装置において、
前記光源部は、被検者の血管内に投与される造影剤を励起させ前記造影剤から蛍光を発光させる励起光を出射する励起光源と、被検者眼の固視を誘導するための可視光を出射する固視光源と、を備え、
前記蛍光を透過させると共に前記励起光及び固視光を遮断する光学特性を有するバンドカットフィルタを持つフィルタユニットであって，前記照明光学系と共用されない前記受光光学系の光路に前記バンドカットフィルタを挿脱可能に配置するフィルタユニットと、
を備えることを特徴とする眼科撮影装置。
【請求項２】
請求項１の眼科撮影装置において、
前記バンドカットフィルタは、
前記励起光を遮断し，前記蛍光を透過させる光学特性を持つ第１フィルタ層と、
前記固視光を遮断し，少なくとも前記蛍光を透過させる光学特性を持つ第２フィルタ層と、
を有することを特徴とする眼科撮影装置。
【請求項３】
請求項２の眼科撮影装置において、
前記バンドカットフィルタは、
前記第１フィルタ層が形成された第１基板と、
該第１基板と異なる第２基板であって，前記第２フィルタ層が形成された第２基板と、
とを有することを特徴とする眼科撮影装置。
【請求項４】
請求項１〜３のいずれかの眼科撮影装置において、
前記光源部はさらに赤外光を出射する赤外光光源を有し、
前記光源部から赤外光を出射し赤外の眼底画像を得る赤外撮影モードと，前記光源部から前記励起光を出射し蛍光眼底画像を得る蛍光撮影モードとの切換え設定をするためのモード切換手段を備え、
前記フィルタユニットは、前記モード切換手段による設定に基づいて、前記バンドカットフィルタを前記光軸に挿入する
ことを特徴とする眼科撮影装置。
【請求項５】
請求項１〜４のいずれかの眼科撮影装置において、
前記励起光源は、青色のレーザ光を出射し、
前記固視光源は、赤色光を出射し
前記バンドカットフィルタは、前記レーザ光及び前記赤色光を遮断すると共に前記レーザ光よりも長波長の前記蛍光を透過させる
ことを特徴とする眼科撮影装置。
【請求項６】
請求項１〜５のいずれかの眼科撮影装置において、前記励起光源は、４９０ｎｍのレーザ光を出射し、前記固視光源は、６６０ｎｍのレーザ光を出射し、前記バンドカットフィルタは、４９０ｎｍよりも長波長の可視光を透過させつつ、６６０ｎｍの波長中心としてできるだけバンド幅の狭い可視光を遮断することを特徴とする眼科撮影装置。
【発明の詳細な説明】
【技術分野】
【０００１】
本発明は、被検者眼の眼底等を照明光で走査して眼底観察を行う眼科撮影装置に関する。
【背景技術】
【０００２】
従来、ポリゴンミラーとガルバノミラーからなる走査手段を用いて眼底に対して２次元的に照明光を走査し、その反射を受光することにより眼底画像を得る眼科撮影装置（走査型レーザ検眼鏡）が知られている（例えば、特許文献１参照）。このような装置では、赤外光等の照明光で眼底を２次元的に走査しつつ、可視光を走査範囲内（例えば、走査範囲の中心部）で点灯し被検者眼の固視を誘導している。また、このような装置は、被検者の血管内に造影剤を投与し、蛍光発光する眼底画像（蛍光眼底画像）を用いて眼底を観察する蛍光撮影に用いられる。蛍光撮影では、可視光（例えば、青色）である照明光が造影剤の励起光として用いられ、励起光により蛍光が生じた眼底画像を複数撮影することにより、眼底の経時的な変化を観察する。このような場合、固視を誘導する固視灯は蛍光撮影の間、常に点灯される。
【先行技術文献】
【特許文献】
【０００３】
【特許文献１】特開２００５−２７９１２２号公報
【発明の概要】
【発明が解決しようとする課題】
【０００４】
蛍光撮影において、照明光により励起された造影剤は、励起光より長い波長の光でかつ帯域の広い蛍光を放つが、このような蛍光は通常の赤外眼底撮影で用いられる赤外光に比べると光強度が低いため、好適な撮影を行うためには受光素子の感度を高める必要ある。しかしながら、受光素子の感度を高めた状態で蛍光眼底画像を得ると、眼底に投影されている固視灯が眼底の中心部に明るく写り込んでしまい、眼底観察を好適に行い難くなってしまう。
【０００５】
本発明は、上記問題点を鑑み、蛍光撮影において眼底画像における固視灯の写り込みを抑制し、好適な観察ができる眼科撮影装置を提供することを技術課題とする。
【課題を解決するための手段】
【０００６】
上記課題を解決するために、本発明は以下のような構成を備えることを特徴とする。
（１）  波長の異なる照明光をそれぞれ出射する光源部と，前記照明光を眼底に対して２次元的に走査する走査部とを有する照射光学系と、前記照明光により照明された眼底からの反射光を受光するための受光素子を持つ受光光学系と、を有し、前記受光素子の受光信号に基づいて眼底画像を得る眼科撮影装置において、前記光源部は、被検者の血管内に投与される造影剤を励起させ前記造影剤から蛍光を発光させる励起光を出射する励起光源と、被検者眼の固視を誘導するための可視光を出射する固視光源と、を備え、前記蛍光を透過させると共に前記励起光及び固視光を遮断する光学特性を有するバンドカットフィルタを持つフィルタユニットであって，前記照明光学系と共用されない前記受光光学系の光路に前記バンドカットフィルタを挿脱可能に配置するフィルタユニットと、を備えることを特徴とする。
（２）  （１）の眼科撮影装置において、前記バンドカットフィルタは、前記励起光を遮断し，前記蛍光を透過させる光学特性を持つ第１フィルタ層と、前記固視光を遮断し，少なくとも前記蛍光を透過させる光学特性を持つ第２フィルタ層と、を有することを特徴とする。
（３）  （２）の眼科撮影装置において、前記バンドカットフィルタは、
前記第１フィルタ層が形成された第１基板と、該第１基板と異なる第２基板であって，前記第２フィルタ層が形成された第２基板と、とを有することを特徴とする。
（４）  （１）〜（３）のいずれかの眼科撮影装置において、前記光源部はさらに赤外光を出射する赤外光光源を有し、前記光源部から赤外光を出射し赤外の眼底画像を得る赤外撮影モードと，前記光源部から前記励起光を出射し蛍光眼底画像を得る蛍光撮影モードとの切換え設定をするためのモード切換手段を備え、前記フィルタユニットは、前記モード切換手段による設定に基づいて、前記バンドカットフィルタを前記光軸に挿入することを特徴とする。
（５）  （１）〜（４）のいずれかの眼科撮影装置において、前記励起光源は、青色のレーザ光を出射し、前記固視光源は、赤色光を出射し前記バンドカットフィルタは、前記レーザ光及び前記赤色光を遮断すると共に前記レーザ光よりも長波長の前記蛍光を透過させることを特徴とする。
（６）  （１）〜（５）のいずれかの眼科撮影装置において、前記励起光源は、４９０ｎｍのレーザ光を出射し、前記固視光源は、６６０ｎｍのレーザ光を出射し、前記バンドカットフィルタは、４９０ｎｍよりも長波長の可視光を透過させつつ、６６０ｎｍの波長中心としてできるだけバンド幅の狭い可視光を遮断することを特徴とする。
【発明の効果】
【０００７】
本発明によれば、蛍光撮影において眼底画像における固視灯の写り込みを抑制し、好適な観察ができる。
【発明を実施するための形態】
【０００８】
本発明の実施の形態を図面を用いて説明する。図１は、眼科撮影装置の一実施形態である走査型レーザ検眼鏡の光学系を示した図である。走査型レーザ検眼鏡は、観察用のレーザ光（照明光）を眼底に対して２次元的に走査するレーザ光走査部５０を備え、光源部１００から出射されるレーザ光を眼底へと照射する照射光学系６０と、眼底で反射されたレーザ光をレーザ光走査部５０を介して受光する受光光学系７０と、に大別される。
【０００９】
被検者眼Ｅの眼底を照明するための観察用のレーザ光は、光源部１００により出射され、照射光学系６０にて眼底へと照射される。本実施形態では、光源部１００は、３つの異なる波長の照明光（ここでは、レーザ光）をそれぞれ出射可能な構成とされる。具体的には、近赤外域のレーザ光（例えば、波長λ＝７９０ｎｍ）を発する赤外光源である半導体レーザ光源（ＬＤ）１０１、赤色のレーザ光（例えば、波長λ＝６６０ｎｍ）を発する半導体レーザ光源１０２、青色のレーザ光（例えば、波長λ＝４９０ｎｍ）を発する半導体レーザ光源１０３、とを備える。なお、本実施形態では、赤色のレーザ光は、固視光として用いられ、青色のレーザ光は、蛍光撮影時における励起光として用いられる。なお、照明光はレーザ光に限るものではない。光源としては、ＳＬＤ（Super Luminescent Diode）を用いてもよい。
【００１０】
各光源の出射光軸上には、ダイクロイックミラーがそれぞれ配置されて、各々のレーザ光が同軸とされる。具体的には、光源１０１の前方には近赤外光を透過し他の波長の光（可視光）を反射するダイクロイックミラー１０５が、光源１０２の前方には赤色光を反射し赤色より波長の短い色（青色）の光を透過するダイクロイックミラー１０６が、それぞれ配置されている。
【００１１】
これらのダイクロイックミラー１０５、１０６は、各レーザ光源から出射されたレーザ光を同軸とするように配置され、図示するように、各レーザ光は、ダイクロイックミラーで透過又は反射されて、照射光学系６０の光軸Ｌ１に合せられる。このようにして同軸とされたそれぞれのレーザ光は、照射光学系６０の光学部材により眼底へと導光される。
【００１２】
なお、光源１０１〜１０３は、それぞれレーザ光を出射する制御を受ける。このため、光源部１００からは、複数のレーザ光が同時に出射されたり、特定のレーザ光のみが出射される。例えば、光源１０１を用いた赤外光による眼底観察、眼底撮影の際には、光源１０２を赤外レーザ光の走査範囲中に所定の走査位置で点灯し、その他の走査位置では消灯させる点灯制御が行われることによって、被検者の固視を誘導する。同様に、光源１０３を用いた励起光による蛍光眼底撮影にも光源１０２が点灯・消灯されることによる固視誘導が行われる。
【００１３】
照射光学系６０は、光源部１００、中央に開口部を有するホールミラー（穴開きミラー）２、レンズ３、ミラー４及び５、凹面ミラー６、８及び１０、ポリゴンミラー７、ガルバノミラー９を備える。ホールミラー２は、光軸Ｌ１のレーザ光のビーム径を絞る役割を備える。ミラー４、５は図示を略す駆動手段により図１に示す矢印方向（光軸方向）に移動可能とされ、光路長を変化させることによりフォーカス合せ（視度補正）を行うことができる。ポリゴンミラー７は、レーザ光を被検者眼Ｅの眼底に対して水平方向に走査させるための光学部材であり、ガルバノミラー９は、ポリゴンミラー７による走査方向に対して垂直方向にレーザ光を走査させる役目を果たす。これらの光学部材によって、光源部１００から出射されたレーザ光を被検者眼眼底に対して２次元的に走査するためのレーザ光走査部５０が構成される。
【００１４】
光源部１００から出射されたレーザ光は、ホールミラー２の開口部を通り、レンズ３を介した後、ミラー４、ミラー５、凹面ミラー６にて反射され、ポリゴンミラー７に向かう。ポリゴンミラー７にて反射された光束は、凹面ミラー８、ガルバノミラー９、凹面ミラー１０にて反射された後、被検者眼眼底に集光され、眼底上を２次元的に（図示するＸＹ軸方向に）走査される。
【００１５】
次に、受光光学系７０の構成を説明する。受光光学系７０は、照射光学系６０の凹面ミラー１０からホールミラー２までを共用し、フィルタユニット９０、レンズ１２、光軸上にピンホールを有したピンホール板１３、集光レンズ１４、赤外域から可視光域に感度を持つ受光素子１５を備える。なお、ピンホール板１３は、被検者眼眼底の観察点（撮影点）と共役な位置に配置されている。また、本実施形態の受光素子１５には、光源部１００から出射される３つの異なる波長のレーザ光を受光可能（検知可能）なＡＰＤ（アバランシェフォトダイオード）を用いる。なお、ここでは、受光光学系７０において照射光学系６０と光路を共有しない光軸をＬ２とする。
【００１６】
被検者眼の眼底に走査されたレーザ光の反射光は、前述した照射光学系６０を逆に辿り、ホールミラー２にて反射され、図中では下方に折り曲げられる。なお、被検者眼の瞳位置とホールミラー２の開口部とは、レンズ３、凹面ミラー６，８，１０により共役となっている。ホールミラー２にて反射され光軸Ｌ２上を通る反射光は、フィルタユニット９０を通過した後、レンズ１２を介してピンホール板１３のピンホールに焦点を結ぶ。ピンホールにて焦点を結んだ反射光は、集光レンズ１４を経て受光素子１５に受光される。
【００１７】
次に、フィルタユニット９０の構成を説明する。フィルタユニット９０は、バンドカットフィルタ９０Ａと、バンドカットフィルタ９０Ａを保持するホルダ９３と、ホルダ９３に保持されたバンドカットフィルタ９０Ａを光軸Ｌ２に挿脱可能に配置する駆動部９５を備える。なお、本実施形態のバンドカットフィルタ９０Ａは、第１フィルタ９１と、第２フィルタ９２の２枚のフィルタから構成されている。
【００１８】
図２は、フィルタユニット９０が持つフィルタの光学特性を説明する概略図である。ここで、図２（ａ）はバンドカットフィルタ９０Ａの全体の光学特性を、図２（ｂ）は第１フィルタ９１の光学特性、図２（ｃ）は第２フィルタ９２の光学特性を示す模式図である。なお、グラフの横軸は波長、縦軸は透過率を示す。バンドカットフィルタ９０Ａは、蛍光眼底撮影時に光軸Ｌ２上に配置される２枚のフィルタからなり、全体として励起光である青色レーザ光（波長４９０ｎｍ）及び固視光である赤色レーザ光（波長６６０ｎｍ）の波長の光を遮断し、眼底からの蛍光を透過させる光学特性を持つフィルタとされる。ここでいう蛍光とは、被検者の血管に投与された造影剤により造影された眼底の血管に励起光が照射されることによって、造影剤が蛍光発光して生じる光を指す。
【００１９】
図２（ａ）に示されるように、バンドカットフィルタ９０Ａは、４９０ｎｍの波長の光（励起光）を遮断し、さらに、４９０ｎｍから所定の長波長側の光を透過させる光学特性を持つ。具体的には、励起光源１０３が持つ出射光の波長のばらつきに対応するように、長波長側で＋３０ｎｍ、好ましくは、＋５ｎｍ程度までの波長の光の透過率を低くするか、又はそれらの光を遮断させる。これにより、励起光（の眼底での反射光）は受光素子１５にほとんど入射されず、励起光による蛍光が受光素子１５に入射され受光される。
【００２０】
また、バンドカットフィルタ９０Ａは、さらに、６６０ｎｍの波長の光（固視光）を遮断するとともに、６６０ｎｍを中心に所定の幅の遮断バンド幅を持つ。固視光を遮断するバンド幅は狭い程好ましい。具体的には、蛍光をできるだけ透過させつつ、固視光源１０２の出射光の波長を中心波長としてできるだけ狭いバンド幅を持つ構成とされる。このましくは、固視光源１０２の波長を中心波長とするバンド幅は、固視光源１０２のばらつきに対応するように、±３０ｎｍ程度のバンド幅を持ち、好ましくは、±５ｎｍとされる。これにより、蛍光の波長領域に含まれる固視光が受光素子１５に入射されず、固視光の波長の遮断バンド幅を除いた蛍光が受光素子１５に入射し受光される。
【００２１】
このような光学特性のため、バンドカットフィルタ９０Ａは，眼底で反射する固視光及び励起光を遮断し、蛍光をできるだけ透過させることができる。
【００２２】
このような光学特性を持つバンドカットフィルタ９０Ａのより詳細な構成を説明する。本実施形態では、励起光よりも長波長側の光を透過させる光学特性を持つ第１フィルタ層と、固視光を遮断し固視光以外の波長の光を透過させる光学特性を持つ第２フィルタ層とを組み合せることにより、バンドカットフィルタ９０Ａを得る。本実施形態では、第１フィルタ層が形成された透明基板からなる第１フィルタ９１と、第１フィルタ９１と異なる透明基板に形成された第２フィルタ層を持つ第２フィルタ９２とにより、バンドカットフィルタ９０Ａが形成される。
【００２３】
図２（ｂ）に示される第１フィルタ９１の光学特性は、励起光を遮断し、励起光よりも長波長の光（蛍光）を透過させる光学特性を持つ。また、図２（ｃ）に示される第２フィルタ９２の光学特性は、固視光を遮断し、固視光以外の波長の光を透過させる光学特性を持つ。このような第１フィルタ層、及び第２フィルタ層は以下のような方法で形成される。
【００２４】
ガラス等の光を透過する基板（例えば、透明ガラス基板）を用意し、この基板に真空蒸着法又はスパッタ法或いはイオンビームスパッタ法等を用いて所定のコーティング素材の多層膜を形成することで、所期する光学特性を持つフィルタを得る。
【００２５】
コーディング素材としては、基板に対して高い屈折率を持つチタニア（二酸化チタン）、タンタラ（五酸化タンタル）等の高屈折率の金属酸化物と、基板に対して低い屈折率を持つシリカ（二酸化ケイ素）等の低屈折率の金属酸化物を用いる。これらの屈折率の異なる金属酸化物を基板に交互に積層し多層膜を得る。このとき、一つの膜（金属薄膜）の厚みは、遮断する波長の４分の１程度として、設計により数十ｎｍから数百ｎｍ程度の厚みとする。このような薄膜を所望する光学特性が得られるまで数層〜１００層程度積層していき、各フィルタ層を得る。
【００２６】
以上のようなコーティング方法により、第１フィルタ層が形成された第１フィルタ９１、及び第２フィルタ層が形成された第２フィルタ９２が得られる。
【００２７】
次に、制御系の説明をする。図３は、本実施形態における走査型レーザ検眼鏡の制御系を示したブロック図である。制御部３０は、装置全体の制御を行う部材でありＣＰＵ等とされる。制御部３０には、光源部１００（光源１０１〜１０３）、ポリゴンミラー７、ガルバノミラー９、受光素子１５、ミラー４，５を駆動させるための駆動手段（図示を略す）、各種の条件設定や装置の操作を行うため
のコントロール部３２、受光素子１５にて受光した信号を基に被検者眼の眼底画像を形成するための画像処理部３３、駆動部９５等が接続される。モニタ３４は、画像処理部３３にて形成された眼底画像が表示される。また、制御部３０には、種々の情報を記憶しておくための記憶部３５が接続される。なお、記憶部３５には、使用されるポリゴンミラーの反射面（ミラー）の枚数，及び眼底画像を構築するための画像ライン等の画像形成に必要な情報や照明光の２次元走査において、固視光を点灯する位置（タイミング）等の情報が記憶されている。ここでは、固視光は、走査範囲の中心部で点灯される設定とする。
【００２８】
また、コントロール部３２には、撮影モードを切換え設定するためのモード切換スイッチである赤外撮影モードスイッチ３２ａと、蛍光撮影モードスイッチ３２ｂとが設けられている。赤外撮影モードスイッチ３２ａにより、赤外撮影モードが設定されると、制御部３０は光源１０１を駆動すると共に駆動部９５を制御しバンドカットフィルタ９０Ａを光軸Ｌ２から外す。同様に、蛍光撮影モード３２ｂにより蛍光撮影モードが設定されると、制御部３０は光源１０３を駆動すると共に駆動部９５を制御しバンドカットフィルタ９０Ａを光軸Ｌ２上に配置させる。なお、蛍光撮影モードが設定されると、制御部３０は受光素子１５の感度を向上させる。
【００２９】
以上のような構成を有する走査型レーザ検眼鏡において、その動作について説明する。検者は図示なきジョイスティック等により被検者眼に装置本体を位置合せする。そして、検者は駆動手段を用いてミラー４，５を駆動させて視度補正を行う。視度補正が行われた状態にて、検者は図示なきジョイスティック等を用いて装置を移動させ、被検者眼の眼底にレーザ光が照射され所望する画像がモニタ３４に表示されるように、アライメントを行う。また、検者はコントロール部３２を用いて、撮影モードを設定する。
【００３０】
検者の操作により撮影が開始されると、制御部３０は、光源１００の制御により、光源１０１より赤外レーザ光を出射させる。ホールミラー２を通過したレーザ光は、ポリゴンミラー７にて走査され、ガルバノミラー９の駆動により、さらに垂直方向（上から下）に走査される。ガルバノミラー９にて反射された近赤外のレーザ光は、眼底上に集光され２次元的に走査される。このとき、制御部３０は、ポリゴンミラー７とガルバノミラー９で走査される範囲における中央位置で、光源１０２を点灯させ他の走査位置では消灯させる制御を行い、被検者に固視光を呈示する。眼底に集光されたレーザ光の反射光は、撮影光学系を介して受光素子１５にて受光される。
【００３１】
図４は、モニタ３４に表示される眼底画像の模式図である。図４は、眼底画像の表示を説明するためのものとし、赤外眼底画像と蛍光眼底画像のいずれかに限定されない。
【００３２】
画像処理部３３は、走査範囲における眼底からの反射光によって得られる受光素子１５からの受光信号を画像データとして逐次並べ、モニタ３４の表示領域３４ａにおける最上部から下方に向って横方向に一列に順に表示していく。このようにして、ポリゴンミラー７の回転による、表示領域３４ａにおける一列分の画像ラインのデータが得られる。画像処理部３３は、取得した一列分の画像ラインのデータを、先に表示した一列分の画像ラインのデータの一段下の行に並べて表示する。制御部３０及び画像処理部３３は、このような処理を記憶部２５に予め記憶してある画像ライン数分だけ順次行うことにより、２次元的に走査した被検者眼眼底の撮影範囲を一枚の画像（１フレーム分の画像）としてモニタ３４に表示する。そして、制御部３０は、ガルバノミラー９を走査開始時の反射角度まで戻し、再び同じようにレーザ光を上から下に向かって走査するように駆動制御する。なお、このフレームレートは、１０〜３０程度とされる。
【００３３】
このようにして、図４に示すような眼底画像が得られる。このとき、レーザ光の走査範囲は、表示領域３４ａに対応することとなる。
【００３４】
また、制御部３０は、上記のレーザ走査において、所定の走査位置において光源１０２を点灯させる（レーザ光を出射させる）制御を行う。なお、図４では表示領域３４ａの中央に対応する走査角度において固視用のレーザ光が照射されるように制御されているが、これに限るものではなく、コントロール部３２の図示無き固視変更スイッチを用いて眼底に照射される固視用レーザ光の位置を適宜変更することができる。
【００３５】
次に、各撮影モードによるフィルタユニット９０の動作を説明する。検者によりコントロール部３２の赤外撮影モードスイッチ３２ａにより、赤外撮影モードが設定される。この設定に基づいて制御部３０は、眼底に照射される赤外のレーザ光の反射光を充分な眼底画像が得られるように受光できる感度となるように受光素子１５の感度調節を行う。なお、赤外撮影モードが設定されているときはバンドカットフィルタ９０Ａは光路から外されている。制御部３０は光源１０１を制御し、撮影に十分な光強度を持つ赤外レーザ光を出射させる。また、同時に、制御部３０は、走査範囲の所定位置で固視光が点灯するように光源１０２を制御する。この際、光源１０２から出射される固視用のレーザ光の光強度は、撮影用に出射される赤外レーザ光よりも弱い光強度（ただし、視認可能な光強度）とされている。固視誘導された被検者眼の赤外眼底画像は、モニタ３４に表示されるとともに、記憶部３５に記憶される。なお、赤外レーザ光よりも相対的に固視用の可視レーザ光の光強度が弱くされており、受光素子も赤外レーザ光の光強度に合わせた受光感度を用いて受光しているため、得られる眼底画像に固視用のレーザ光は写りにくくなっている。
【００３６】
次に、蛍光撮影モードの場合を説明する。蛍光撮影では、予め被検者の血管内に造影剤（例えば、フルオレセイン）が投与された状態又は投与されていく状態での蛍光眼底画像が撮影される。検者により蛍光撮影モードスイッチ３２ｂにより、蛍光撮影モードが設定される。この設定に基づいて制御部３０は、駆動部９５を駆動し、バンドカットフィルタ９０Ａを光軸Ｌ２上に配置する（挿入する）。とともに受光素子１５の受光感度を高める制御を行う。受光素子１５の受光感度は光強度が弱い蛍光が好適に受光される程度の感度とされる。また、光源１０３を制御し、青色レーザ光を出射させる。そして、検者により装置のアライメントが行われて、蛍光撮影が開始される。このとき、制御部３０は、赤外撮影モードと同様に光源１０２を制御し、固視用のレーザ光を所定の走査位置において出射させる。青色レーザ光により励起された造影剤から放たれる蛍光及び固視光の眼底反射光は、前述のように受光光学系７０に導光され、バンドカットフィルタ９０Ａを通過した後、受光素子１５で受光される。このとき、バンドカットフィルタ９０Ａで、固視光（の反射光）は遮断され、蛍光の多くは透過される。受光素子１５で受光された情報は前述のように画像化される。このようにして、固視光の影響（写りこみ）を低減した蛍光眼底画像が得られる。蛍光眼底画像は、モニタ３４に表示され、記憶部３５に記憶される。固視光の写りこみが低減された蛍光眼底画像により、好適に被検者眼の眼底観察ができる。
【００３７】
なお、本実施形態で用いる走査型レーザ検眼鏡は、動画として眼底を観察する機能に優れており、造影剤により徐々に造影されていく血管の経時的観察に好ましい。本発明では、バンドカットフィルタ９０Ａを光軸Ｌ２に配置する構成としているため、装置が持つフレームレートを変更することなく、固視光の影響を低減でき、好適な眼底観察ができる。また、以上説明した本発明では、固視光の写りこみを抑制するために固視光源の点灯を制御する必要がなく、フレームレートを低下させることなく蛍光眼底画像が得られる。具体的には、バンドカットフィルタを用いない場合では、被検者の固視を誘導するために充分な間隔で固視光を点灯しつつ、固視光が消灯されている際に蛍光眼底画像を得る構成とする。この場合、フレームレートが赤外撮影モードよりも低下することとなり、蛍光眼底画像の動画性能が低下し、眼底観察の精度が低下してしまう。
【００３８】
なお、以上説明した本実施形態では、撮影モードスイッチの設定によって、フィルタユニットを制御し、バンドカットフィルタを挿脱する構成としたが、これに限るものではない。検者が手動によりフィルタユニットを操作し、バンドカットフィルタの挿脱を行ってもよい。
【００３９】
なお、以上説明した本実施形態では、光源部に赤外光、固視光、励起光をそれぞれ出射する光源を設ける構成としたが、これに限るものではない。少なくとも励起光と固視光をそれぞれ出射する光源を備える蛍光撮影用の眼科撮影装置であれば、本発明を適応することが可能である。
【００４０】
なお、以上説明した本実施形態では、励起光を４９０ｎｍの青色、固視光を６６０ｎｍの赤色光としたが、これに限るものではない。固視光は被検者が視認できる可視光であれあよく、他の色、他の波長であってもよい。また、励起光は、造影剤に対応するため蛍光造影に用いる造影剤によって本実施形態と異なる波長としてもよい。
【００４１】
なお、以上説明した本実施形態では、バンドカットフィルタは、励起光及び固視光を遮断する光学特定を持つものとしたが、これに限るものではない。蛍光眼底画像において、固視光の影響を低減し、好適に眼底観察ができる構成であればよい。バンドカットフィルタは、例えば、固視光を一部透過する光学特性であってもよいし、励起光の一部を透過させる光学特性であってもよい。
【００４２】
なお、以上説明した本実施形態では、バンドカットフィルタを第１フィルタと第２フィルタの組合せで構成したがこれに限るものではない。例えば、基板の片面に第１フィルタ層を形成した後、第１フィルタ層の上に第２フィルタ層を形成してもよい。また、第２フィルタ層の上に第１フィルタ層を形成してもよい。この場合、１枚の基板でバンドカットフィルタが得られる。また、コーティング中に基板を移動させる必要がないため、工数が削減できる。なお、このように２つのフィルタ層を重ねて用いる場合には第１フィルタ層と第２フィルタ層の間には、応力を緩衝するコーティングを設けることが好ましい。また、基板の表面と裏面にそれぞれ第１フィルタ層、第２フィルタ層を形成してもよい。
【図面の簡単な説明】
【００４３】
【図１】本実施形態の眼科撮影装置の光学系を示した図である。
【図２】バンドカットフィルタの光学特性を示す模式図である。
【図３】本実施形態における眼科撮影装置の制御系を示したブロック図である。
【図４】モニタに表示される画像を説明する図である。
【符号の説明】
【００４４】
１  光源
７  ポリゴンミラー
９  ガルバノミラー
１５  受光素子
３４  モニタ
５０  レーザ光走査部
６０  照射光学系
７０  受光光学系
９０  フィルタユニット
９０Ａ  バンドカットフィルタ
１００  光源部
【図１】
2010259606.tif 000003
【図２】
2010259606.tif 000004
【図３】
2010259606.tif 000005
【図４】
2010259606.tif 000006